【事件の表示】
　特許第３０４７８８８号「コンバインのキャビン」の請求項１に係る特許に対する特許異議の申立てについて、次のとおり決定する。
【結　論】
　訂正を認める。
　特許第３０４７８８８号の請求項１に係る特許を取り消す。
【理　由】
【１】手続の経緯
　　本件特許第３０４７８８８号（以下、「本件特許」という。）は、平成１年２月３日に出願された特願平１−２６１０９号（以下、「原出願」という。）を、平成１０年５月２１日に分割して新たな特許出願としたものとして、平成１２年３月２４日に設定登録されたものであるが、本件特許の請求項１の発明に関して、ヤンマー農機株式会社より特許異議の申立てがあったので、当審において、当該申立ての理由を検討の上、当審より平成１３年３月１５日付けで特許取消理由を通知したところ、その通知書で指定した期間内の平成１３年５月２３日に、特許異議意見書と共に訂正請求書が提出されたものである。
　
【２】訂正請求の可否
　１．訂正の要旨
　本件特許異議申立てに係る訂正請求における訂正の要旨は、次の１）〜１４）のとおりである。
　１）本件特許明細書の発明の名称の「コンバイン等のキャビン」を、「コンバインのキャビン」と訂正する。
　２）本件特許明細書の特許請求の範囲の請求項１中の「キャビン２に内装した操縦席１を、前端を通る垂線Ｓがクーラーユニット４に当るが空間部５の後端に当らない位置に配置してなるコンバイン等のキャビン」を、「キャビン２に内装した操縦席１を、前端がクーラーユニット４の下部位置で空間部５の後側となる位置に配置し、該操縦席１から立ち姿勢となった操縦者が頭部を前記空間部５に位置させて前方下方の分草杆１４の先端部の穀桿を見ながら刈取作業を行うことができるように構成してなるコンバインのキャビン」と訂正する。
　３）本件特許明細書の【０００１】中の「コンバインやトラクタ等のキャビン」を、「コンバインのキャビン」と訂正する。
　４）本件特許明細書の【０００２】中の「コンバインやトラクタ等の操縦席」を、「コンバインの操縦席」と訂正する。
　５）本件特許明細書の【０００４】中の「キャビン２に内装した操縦席１を、前端を通る垂線Ｓがクーラーユニット４に当るが空間部５の後端に当らない位置に配置してなるコンバイン等のキャビンとした」を、「キャビン２に内装した操縦席１を、前端がクーラーユニット４の下部位置で空間部５の後側となる位置に配置し、該操縦席１から立ち姿勢となった操縦者が頭部を前記空間部５に位置させて前方下方の分草杆１４の先端部の穀桿を見ながら刈取作業を行うことができるように構成してなるコンバインのキャビンとした」と訂正する。
　６）本件特許明細書の【０００６】中の「前端を通る垂線Ｓがクーラーユニット４に当るが空間部５の後端に当らない位置に配置しているので、運転者が斜めの立ち姿勢になったときに、運転者の頭部付近に空間部５が位置することができるので、運転者の動きが楽になる」を、「前端がクーラーユニット４の下部位置で空間部５の後側となる位置に配置しているので、運転者が斜めの立ち姿勢になったときに、運転者の頭部付近に空間部５が位置することができるので、運転者の動きが楽になる。
　また、操縦席１から立ち姿勢となった操縦者が頭部を前記空間部５に位置させて前方下方の分草杆１４の先端部の穀桿を見ながら刈取作業を行うことができる。」と訂正する。
　７）本件特許明細書の【０００７】中の「この発明の一実施例をコンバインに利用したものを例に説明する。」を、「この発明の一実施例を説明する。」と訂正する。
　８）本件特許明細書の【０００８】中の「上動姿勢」を「上動位置」と訂正する。
　９）本件特許明細書の【０００９】中の「また、キャビン２内の前部及び左右一側には、左右走行装置６を前後進に変速走行させる変速レバーや刈取装置９及び脱穀装置８への伝動を入り切りするクラッチレバー等を排設した操縦台１０を設けている。
　キャビン２内の操縦席１上方の天井部３には、屋根１１との間にこのキャビン２内を冷房するクーラユニット４が内装されており、この天井部下部の左右一側にはこのクーラユニット４の操作部やラジオ等を設ける計器ユニット１２を設けている。」を、「また、キャビン２内の前部及び左右一側には、左右走行装置６を前後進に変速走行させる変速レバーや刈取装置９及び脱穀装置８への伝動を入切りするクラッチレバー等を配設した操縦台１０を設けている。
　キャビン２内の操縦席１上方の天井部３には、屋根１１との間にこのキャビン２内を冷房するクーラーユニット４が内装されており、この天井部３下部の左右一側には該クーラーユニット４の操作部やラジオ等を設ける計器ユニット１２を設けている。」と訂正する。
　１０）本件特許明細書の【００１０】中の「この空間部５は、後端が前記操縦席１の前端を通る垂線Ｓよりも前方に位置し、操縦者が立ち姿勢となったときの頭部が位置する所であって、内側に緩衝材１３を設けている。
　操縦者が立ち姿勢になると、刈取装置９の先端の分草杆１４の先端部が見通せるような関係位置となっている。」を、「この空間部５は、操縦者が立ち姿勢となったときの頭部が位置する所であって、内側に緩衝材１３を設けている。
　操縦者が立ち姿勢になると、刈取装置９先端の分草杆１４の先端部が見通せるような関係位置となっている。」と訂正する。
　１１）本件特許明細書の【００１１】中の「引き起こし状態をみるために立ち姿勢となるが、操縦者は、頭部が空間部５に位置するように前屈みの姿勢で立ち上がることができる」を、「引起状態をみるために立ち姿勢となるが、操縦者は、頭部が空間部５に位置するように前屈みの姿勢で立上ることができる」と訂正する。
　１２）本件特許明細書の【００１２】中の「操縦者が立ち姿勢になると、操縦席１が上動するから、この操縦席１にもたれて前方下方の分草杆１４の先端部の穀稈を見ながら刈取作業を行うことができる」を、「操縦者が立ち姿勢になると操縦席１が上動するから、この操縦席１にもたれて前方下方の分草杆１４先端部の穀稈を見ながら刈取作業を行うことができる」と訂正する。
　１３）本件特許明細書の【００１３】中の「前端を通る垂線Ｓがクーラーユニット４に当るが空間部５の後端に当らない位置に配置しているので」を、「前端がクーラーユニット４の下部位置で空間部５の後側となる位置に配置しているので」と訂正する。
　１４）本件特許明細書の【図面の簡単な説明】中の「４　クラーユニット、５　空間部、１１　屋根、Ｓ　垂線」を、「４　クーラーユニット、５　空間部、１４　分草杆」と訂正する。
　
　２．訂正の目的、新規事項の有無及び特許請求の範囲の実質的拡張・変更の存否
　（１）訂正事項１）について
  上記訂正事項１）は、訂正事項２）の特許請求の範囲の訂正によって生じる発明の名称と特許請求の範囲の齟齬を解消しようとするもので、明りょうでない記載の釈明を目的とするものといえ、願書に添付した明細書又は図面に記載した事項の範囲内の訂正であり、実質上特許請求の範囲を拡張し又は変更するものでもない。
　（２）訂正事項２）について
  上記訂正事項２）は、本件特許明細書の特許請求の範囲の請求項１中の「操縦席１の前端を通る垂線Ｓよりも前方に位置してなるコンバイン等のキャビン」を、「操縦席１の前端よりも前方に位置させ、該操縦席１から立ち姿勢となった操縦者が頭部を前記空間部５に位置させて前方下方の分草杆１４の先端部の穀桿を見ながら刈取作業を行うことができるように構成してなるコンバインのキャビン」と訂正することによって、特許請求の範囲を減縮するもので、この訂正事項２）については、【０００６】、【００１０】〜【００１３】及び第１図に記載されており、願書に添付した明細書又は図面に記載した事項の範囲内の訂正であり、実質上特許請求の範囲を拡張し又は変更するものでもない。
　（３）訂正事項３）〜１４）について
   上記訂正事項３）〜１４）は、訂正事項２）の特許請求の範囲の訂正によって生じる発明の詳細な説明と特許請求の範囲の齟齬を解消しようとするもので、明りょうでない記載の釈明を目的とするものといえ、願書に添付した明細書又は図面に記載した事項の範囲内の訂正であり、実質上特許請求の範囲を拡張し又は変更するものでもない。
　
　３．訂正請求の認容について
　以上のとおりであるから、上記訂正は、特許法第１２０条の４第２項及び同条第３項において準用する特許法第１２６条第２項から第４項までの規定に適合するので、当該訂正を認める。
　
【３】本件特許発明の認定
　上記のとおり、平成１３年５月２３日付けの訂正請求は認められるので、本件特許の請求項１に係る発明は、平成１３年５月２３日付けの訂正請求書に添付された全文訂正明細書の特許請求の範囲の請求項１に記載された次のとおりのものと認める（以下、「本件発明」という。）。
　「キャビン２の天井部３の前後方向における後側部で且つ屋根との間にクーラーユニット４を内装し、該クーラーユニット４の前方における天井部３を上方へ凹ませて空間部５を形成し、キャビン２に内装した操縦席１を、前端がクーラーユニット４の下部位置で空間部５の後側となる位置に配置し、該操縦席１から立ち姿勢となった操縦者が頭部を前記空間部５に位置させて前方下方の分草杆１４の先端部の穀桿を見ながら刈取作業を行うことができるように構成してなるコンバインのキャビン。」
　
【４】分割の適否の判断と本件特許の出願日の認定
　本件特許の明細書の特許請求の範囲の請求項１には、「クーラーユニット４の前方における天井部３を上方へ凹ませて空間部５を形成し」と記載されており、この記載によれば、空間部の位置は、クーラーユニット４の前方における天井部３の部分内であれば、天井部３の前側端部でなくてもよいものであり、またそれによりキャビン内の空間部を大きくできる明細書記載の効果をも奏するものであるが、前記原出願の願書に最初に添付した明細書及び図面には、空間部（５）がキャビン（２）内の天井部（３）の前側端部に設けられることしか記載されておらず、しかも、空間部の位置をこのような「前側端部」の位置に形成するのは、それにより、操縦者が立ち姿勢になったとき、刈取装置（９）先端の分草杆（１４）の先端部が見通せる特別な関係位置とするという、特別な理由によるものであるから、空間部の位置を、クーラーユニット４の前方における天井部３の部分内の、天井部３の前側端部以外の部分とすることは、当業者が原出願の願書に最初に添付した明細書及び図面の記載からみて自明な事項ということはできない。したがって、本件特許の明細書の上記記載は、原出願の願書に最初に添付した明細書又は図面に記載した事項の範囲内のものでないから、本件特許は適法な分割出願ということができないので、出願日の遡及は認められない。
  よって、本件特許の出願日は、願書が提出された平成１０年５月２３日であるものと認める。
　
【５】引用刊行物及びその記載事項
　上記【４】で詳述したとおり、本件特許の出願日は平成１０年５月２３日と認められるところ、当審における平成１３年３月１５日付けで通知した取消の理由に引用した、本件特許の出願前である平成２年８月１７日に日本国内において頒布された特開平２−２０８１７６号公報（以下「引用刊行物」という。）には、コンバイン等のキャビンに関して次の事項が記載されている。
　ａ）「キャビン（２）内の操縦席（１）の上方の天井部（３）には、屋根（１１）との間にこのキャビン（２）内を冷房するクーラユニット（４）が内装されており、・・・
　天井部（３）の前側端部に、この天井部（３）を上方の屋根（１１）側へ湾曲した空間部（５）を形成している。この空間部（５）は操縦者が立ち姿勢となったときの頭部が位置するところであって、内側に緩衝材（１３）を設けている。
　操縦者が立ち姿勢になると、刈取装置（９）先端の分草杆（１４）の先端部が見通せるような関係位置となっている。」（第２頁右上欄１〜１３行）
　ｂ）「穀桿が倒伏しているときは、分草杆（１４）の先端によるこの倒伏穀桿の分草状態や引起状態をみるため操縦者は立ち姿勢となる。操縦者は頭部が空間部（５）に位置するように前屈みの姿勢で立上がることができる。」（第２頁右上欄１８行〜左下欄２行）
　ｃ）第１図には、クーラーユニット（４）の前側端部における天井部（３）を上方へ凹ませて空間部（５）が形成され、キャビン（２）に内装した操縦席（１）を、前端がクーラーユニット（４）の下部位置で空間部（５）の後側となる位置に配置させていることが記載されている。
　
　上記ａ）、ｂ）の記載から、空間部（５）は、操縦席（１）から立ち姿勢となった操縦者が頭部を該空間部（５）に位置させて前方下方の分草杆（１４）の先端部の穀桿を見ながら刈取作業を行うことができるように構成されているものと認められる。
　したがって、上記各記載から、上記引用刊行物には、
　「キャビン（２）の天井部（３）の前後方向における後側部で且つ屋根との間にクーラーユニット（４）を内装し、該クーラーユニット（４）の前方における天井部（３）の前側端部を上方へ凹ませて空間部（５）を形成し、キャビン（２）に内装した操縦席（１）を、前端がクーラーユニット（４）の下部位置で空間部（５）の後側となる位置に配置し、該操縦席（１）から立ち姿勢となった操縦者が頭部を前記空間部（５）に位置させて前方下方の分草杆（１４）の先端部の穀桿を見ながら刈取作業を行うことができるように構成してなるコンバインのキャビン。」
　の発明が、記載されているものと認める。
　
【６】本件発明と引用刊行物に記載された発明との対比
　本件発明と上記引用刊行物に記載された発明とを対比すれば、「コンバイン等」との概念には、当然「コンバイン」が含まれるから、本件発明は上記引用刊行物に記載された発明と、
「キャビンの天井部の前後方向における後側部で且つ屋根との間にクーラーユニットを内装し、該クーラーユニットの前方における天井部を上方へ凹ませて空間部を形成し、キャビンに内装した操縦席を、前端がクーラーユニットの下部位置で空間部の後側となる位置に配置し、該操縦席から立ち姿勢となった操縦者が頭部を前記空間部に位置させて前方下方の分草杆の先端部の穀桿を見ながら刈取作業を行うことができるように構成してなるコンバインのキャビン。」
　である点で一致し、以下の相違点で相違している。
＜相違点＞
　 本件発明の空間部の形成位置は、クーラーユニットの前方における天井部ならどこでも良いのに対して、上記引用刊行物に記載された発明の空間部の形成位置は、クーラーユニットの前方における天井部の前側端部である点。
　
【７】相違点の検討
　農作業機において、天井部を広く活用するために、クーラーユニットの前方における前側端部以外の天井部を上方へ凹ませて空間部を形成することは、周知技術（例えば、特公昭６０−３５６６８号公報参照）であり、このように空間部を形成した場合においても、操縦席から立ち姿勢となった操縦者が頭部を前記空間部に位置させて前方下方の分草杆の先端部の穀桿を見ながら刈取作業をおこなえるように構成を取り得ることは当業者が容易に想到しうるところである。してみれば、上記引用刊行物に記載された発明のコンバインに上記周知技術を適用して、クーラーユニットの前方における前側端部以外の天井部を上方へ凹ませて空間部を形成し、操縦席から立ち姿勢となった操縦者が頭部を前記空間部に位置させて前方下方の分草杆の先端部の穀桿を見ながら刈取作業をおこなえるように構成することは、当業者が容易に行い得たものというべきである。
　したがって、上記相違点は、上記引用刊行物に記載された発明に上記周知技術を適用することにより、当業者が容易に行うことができたものであるから、本件発明は上記引用刊行物に記載された発明に基づいて当業者が容易に発明をすることができたものである。
　
【８】むすび
　以上のとおり、本件発明は上記引用刊行物に記載された発明に基づいて当業者が容易に発明をすることができたものであるから、本件発明についての特許は特許法第２９条第２項の規定に違反してされたものである。
　したがって、本件発明についての特許は、特許法第１１３条第２項に該当し、取り消されるべきものである。
　よって、結論のとおり決定する。
【異議決定日】
平成１３年７月２５日（２００１．７．２５）
【訂正の要旨】
　本件特許異議申立てに係る訂正請求における訂正の要旨は、次の１）〜１４）のとおりである。
　１）本件特許明細書の発明の名称の「コンバイン等のキャビン」を、「コンバインのキャビン」と訂正する。
　２）本件特許明細書の特許請求の範囲の請求項１中の「キャビン２に内装した操縦席１を、前端を通る垂線Ｓがクーラーユニット４に当るが空間部５の後端に当らない位置に配置してなるコンバイン等のキャビン」を、「キャビン２に内装した操縦席１を、前端がクーラーユニット４の下部位置で空間部５の後側となる位置に配置し、該操縦席１から立ち姿勢となった操縦者が頭部を前記空間部５に位置させて前方下方の分草杆１４の先端部の穀桿を見ながら刈取作業を行うことができるように構成してなるコンバインのキャビン」と訂正する。
　３）本件特許明細書の【０００１】中の「コンバインやトラクタ等のキャビン」を、「コンバインのキャビン」と訂正する。
　４）本件特許明細書の【０００２】中の「コンバインやトラクタ等の操縦席」を、「コンバインの操縦席」と訂正する。
　５）本件特許明細書の【０００４】中の「キャビン２に内装した操縦席１を、前端を通る垂線Ｓがクーラーユニット４に当るが空間部５の後端に当らない位置に配置してなるコンバイン等のキャビンとした」を、「キャビン２に内装した操縦席１を、前端がクーラーユニット４の下部位置で空間部５の後側となる位置に配置し、該操縦席１から立ち姿勢となった操縦者が頭部を前記空間部５に位置させて前方下方の分草杆１４の先端部の穀桿を見ながら刈取作業を行うことができるように構成してなるコンバインのキャビンとした」と訂正する。
　６）本件特許明細書の【０００６】中の「前端を通る垂線Ｓがクーラーユニット４に当るが空間部５の後端に当らない位置に配置しているので、運転者が斜めの立ち姿勢になったときに、運転者の頭部付近に空間部５が位置することができるので、運転者の動きが楽になる」を、「前端がクーラーユニット４の下部位置で空間部５の後側となる位置に配置しているので、運転者が斜めの立ち姿勢になったときに、運転者の頭部付近に空間部５が位置することができるので、運転者の動きが楽になる。
　また、操縦席１から立ち姿勢となった操縦者が頭部を前記空間部５に位置させて前方下方の分草杆１４の先端部の穀桿を見ながら刈取作業を行うことができる。」と訂正する。
　７）本件特許明細書の【０００７】中の「この発明の一実施例をコンバインに利用したものを例に説明する。」を、「この発明の一実施例を説明する。」と訂正する。
　８）本件特許明細書の【０００８】中の「上動姿勢」を「上動位置」と訂正する。
　９）本件特許明細書の【０００９】中の「また、キャビン２内の前部及び左右一側には、左右走行装置６を前後進に変速走行させる変速レバーや刈取装置９及び脱穀装置８への伝動を入り切りするクラッチレバ？等を排設した操縦台１０を設けている。
　キャビン２内の操縦席１上方の天井部３には、屋根１１との間にこのキャビン２内を冷房するクーラユニット４が内装されており、この天井部下部の左右一側にはこのクーラユニット４の操作部やラジオ等を設ける計器ユニット１２を設けている。」を、「また、キャビン２内の前部及び左右一側には、左右走行装置６を前後進に変速走行させる変速レバ？や刈取装置９及び脱穀装置８への伝動を入切りするクラッチレバー等を配設した操縦台１０を設けている。
　キャビン２内の操縦席１上方の天井部３には、屋根１１との間にこのキャビン２内を冷房するクーラーユニット４が内装されており、この天井部３下部の左右一側には該クーラーユニット４の操作部やラジオ等を設ける計器ユニット１２を設けている。」と訂正する。
　１０）本件特許明細書の【００１０】中の「この空間部５は、後端が前記操縦席１の前端を通る垂線Ｓよりも前方に位置し、操縦者が立ち姿勢となったときの頭部が位置する所であって、内側に緩衝材１３を設けている。
　操縦者が立ち姿勢になると、刈取装置９の先端の分草杆１４の先端部が見通せるような関係位置となっている。」を、「この空間部５は、操縦者が立ち姿勢となったときの頭部が位置する所であって、内側に緩衝材１３を設けている。
　操縦者が立ち姿勢になると、刈取装置９先端の分草杆１４の先端部が見通せるような関係位置となっている。」と訂正する。
　１１）本件特許明細書の【００１１】中の「引き起こし状態をみるために立ち姿勢となるが、操縦者は、頭部が空間部５に位置するように前屈みの姿勢で立ち上がることができる」を、「引起状態をみるために立ち姿勢となるが、操縦者は、頭部が空間部５に位置するように前屈みの姿勢で立上がることができる」と訂正する。
　１２）本件特許明細書の【００１２】中の「操縦者が立ち姿勢になると、操縦席１が上動するから、この操縦席１にもたれて前方下方の分草杆１４の先端部の穀稈を見ながら刈取作業を行うことができる」を、「操縦者が立ち姿勢になると操縦席１が上動するから、この操縦席１にもたれて前方下方の分草杆１４先端部の穀稈を見ながら刈取作業を行うことができる」と訂正する。
　１３）本件特許明細書の【００１３】中の「前端を通る垂線Ｓがクーラーユニット４に当るが空間部５の後端に当らない位置に配置しているので」を、「前端がクーラーユニット４の下部位置で空間部５の後側となる位置に配置しているので」と訂正する。
　１４）本件特許明細書の【図面の簡単な説明】中の「４　クラーユニット、５　空間部、１１　屋根、Ｓ　垂線」を、「４　クーラーユニット、５　空間部、１４　分草杆」と訂正する。
（５４）【発明の名称】
コンバイ
ンの
（５７）【特許請求の範囲】
　【請求項１】　キャビン２の天井部３の前後方向における後側部で且つ屋根との間にクーラーユニット４を内装し、該クーラーユニット４の前方における天井部３を上方へ凹ませて空間部５を形成し、キャビン２に内装した操縦席１を、前端
がクーラーユニット４の下部位置で空間部５の後側となる
、該操縦席１から立ち姿勢となった操縦者が頭部を前記空間部５に位置させて前方下方の分草杆１４の先端部の穀稈を見ながら刈取作業を行うことができるように構成し
ンの
【発明の詳細な説明】
　【発明の属する技術分野】
　本発明は、コンバイ
ンの
　【従来の技術】
　コンバイ
ンの
　【発明が解決しようとする課題】
　このキャビン内から四方が見渡せるように構成されているから空調機器は天井部に内装されるが、車体の全高が高すぎると納屋や倉庫などに収納する場合に不便であり、また、コンバイン作業においては、操縦者が立ち姿勢となって前方の穀稈を見ながら操縦を行う場合、運転者の頭が当る等、立ち姿勢に支障を生じることがある。
　【課題を解決するための手段】
　本発明は、上述した課題を解決するために、次の如き技術手段を講じた。
　すなわち、キャビン２の天井部３の前後方向における後側部で且つ屋根との間にクーラーユニット４を内装し、該クーラーユニット４の前方における天井部３を上方へ凹ませて空間部５を形成し、キャビンに内装した操縦席１を、前端
がクーラーユニット４の下部位置で空間部５の後側となる
、該操縦席１から立ち姿勢となった操縦者が頭部を前記空間部５に位置させて前方下方の分草杆１４の先端部の穀稈を見ながら刈取作業を行うことができるように構成し
ンの
　【発明の効果】
　キャビン２の天井部３の後側部で且つ屋根との間にクーラーユニット４を内装しているものであるから、天井部３の前側部を活用出来る。そして、クーラーユニット４の前方におけるキャビン２の天井部３を上方へ凹ませて空間部５を形成しているものであるから、キャビン内の上部の空間部を大きくできるので、キャビン内での運転者の作業性を高め得る。
　しかも、このキャビンの上部の空間部５は、屋根１１を上方に回動しなくて確保できるので、キャビンの構成が簡単になる。
　さらに、キャビン２に内装した操縦席１を、前端
がクーラーユニット４の下部位置で空間部５の後側となる
　
また、操縦席１から立ち姿勢となった操縦者が頭部を前記空間部５に位置させて前方下方の分草杆１４の先端部の穀稈を見ながら刈取作業を行うことができる。
　【発明の実施の形態】
　この発明の一実施例
を説
　コンバインは左右走行装置６を有した車台７上に脱穀装置８を搭載し、前部に刈取装置９を設け、該車台７上の一側前部に操縦席１を内装するキャビン２等を設けた構成としている。
　キャビン２の前部及び左右側部は内側から外部が見通せるようにガラスなどの透明体で覆われた構成としている。該キャビン２に内装の操縦席１は、ばねによって上方へ付勢されており、操縦者が腰掛ける腰掛姿勢の位置と、操縦者が立ち姿勢になると上動して操縦者がもたれる上動位置とに切換えられる構成としている。
　また、キャビン２内の前部及び左右一側には、左右走行装置６を前後進に変速走行させる変速レバーや刈取装置９及び脱穀装置８への伝動を入切りするクラッチレバー等を配設した操縦台１０を設けている。
　キャビン２内の操縦席１上方の天井部３には、屋根１１との間にこのキャビン２内を冷房するクーラーユニット４が内装されており、この天井部３下部の左右一側には該クーラーユニット４の操作部やラジオ等を設ける計器ユニット１２を設けている。
　天井部３の前側端部に、この天井部３を上方の屋根１１側へ湾曲した空間部５を形成している。この空間部５は
、操
　操縦者が立ち姿勢になると、刈取装置９先端の分草杆１４の先端部が見通せるような関係位置となっている。１５は穀稈引き起し装置である。
　操縦席１に操縦者が腰掛けて、操縦部１０のクラッチレバーを操作して刈取装置９及び脱穀装置８へ動力伝動し、変速レバーを操作して走行装置６へ伝動すると穀稈の刈取脱穀作業が行われる。
　穀稈が倒伏しているときは、分草杆１３の先端によるこの倒伏穀稈の分草状態や引起状態をみるために立ち姿勢となるが、操縦者は、頭部が空間部５に位置するように前屈みの姿勢で立上ることができる。
　そして、操縦者が立ち姿勢になると操縦席１が上動するから、この操縦席１にもたれて前方下方の分草杆１４先端部の穀稈を見ながら刈取作業を行うことができる。
　そして、キャビン２の天井部３の後側部にクーラーユニット４を内装しているものであるから、天井部３の前側部を活用出来る。そして、クーラーユニット４の前方におけるキャビン２の天井部３を上方へ凹ませて空間部５を形成しているものであるから、キャビン内の上部の空間部を大きくできるので、キャビン内での運転者の作業性を高め得る。しかも、このキャビンの上部の空間部５は、屋根１１を上方に回動しなくて確保できるので、キャビンの構成が簡単になる。
　さらに、キャビン２に内装した操縦席１を、前端
がクーラーユニット４の下部位置で空間部５の後側となる
【図面の簡単な説明】
　【図１】
　側面図。
　【図２】
　一部の正面図。
　【符号の説明】
　１　　操縦席
　２　　キャビン
　３　　天井部
　４　　クーラーユニット
　５　　空間部
１４
分草杆